(57)【要約】【課題】日本古来の着物は着付が必要で１人で着れない、又着くずれや型くずれの為洗濯が簡単に出来ないなどの欠点があった。【解決手段】従来の着付の技術的部分と制作からデザイン、機能性も根本的に改善し、従来の反物による直線裁断による制作と異なり洋服の型紙技術を使用してシワや肌開などの形状的な問題を立体裁断することにより上下を分け、解決した。又長じゅばんにおいては、ストレッチ性のある素材を身頃に使用し、かぶって着れ、洗濯を可能にした。帯は帯締めと帯板を兼ね備え、お太鼓形状に整えたものに枕と帯揚を一体化させ、着物、長じゅばんの各上下はそれぞれ着るだけ帯は付けるだけの着付の技術を必要とせず、１人で着れる、機能性にもすぐれた洋服様着物である。【選択図】図１０
2018123463.tif 000002
【特許請求の範囲】
【請求項１】
立体裁断された型紙を使用して裁断分離された上衣と下衣を備え、上部かぶり長襦袢と下部に穿く襦袢を配置した着物一式であって、前記上衣には袖部を有するとともに前記着物衿に重なり、前記下衣は腰部に装着し、お太鼓を重ねて装着することを特徴とした洋服様着物セット。
【請求項２】
前記お太鼓は帯に枕と帯揚げが一体化され帯締めされている事を特徴とした請求項１の洋服様着物。
【請求項３】
前記上部かぶり長襦袢の衣がひらいている縁には衿が縫い付けられ、補正用の胸パットと、前記長襦袢の両端に汗取りパットが装着されている事を特徴とした請求項１から請求項２に記載の洋服様着物。
【発明の詳細な説明】
【技術分野】
【０００１】  本発明は、着付けの技術を不要とする洋服様着物セットである。
【背景技術】
【０００２】  従来の着物一式は一人で着付けできない、又着物の組成上、形状が保て無い為洗濯できない、などの利便性に欠けていた。
【先行技術文献】
【０００３】
【特許文献】
【特許文献】特願２０１２−１８５９９４号公報
【０００４】
【特許文献】特開２０１３−１４８７０号公報
【０００５】
【特許文献】特開２０１４−４３６５４号公報
【発明の概要】
【発明が解決しようとする課題】
【０００６】  日本古来の着物は着付けの技術が必要で、一人で着られない。又、型くずれや、着物の組成形状上、洗濯が簡単に出来ないなどの、利便性に欠けていた。【０００７】  本発明は、従来の着付けの技術部分と制作からデザイン、機能性も根本的に改善し、誰でも気軽に着用できるようにした。
【課題を解決する為の手段】
【０００８】  そして、本発明は、上記目的を達成するために従来の反物による直線裁断よる制作と異なり、洋服の型紙技術を使用して、シワや肌開などの、形状問題を立体裁断分離された上衣と、下衣を備えることにより解決し、長襦袢に於いては、ストレッチ性の有する素材を使用した上部かぶり長襦袢と下部に穿く襦袢を配置すること。帯は帯締めと帯板を兼ね備え、お太鼓形状に整えたものに枕と帯揚げが一体化されている事を特徴とした洋服様着物セットを提供する
【０００９】  又、第二の課題解決は、組成も洋服の素材と資材を使用する。
【発明の効果】
【００１０】  上述したように本発明の洋服様着物は、着付けの技術は不要である。デザイン、機能性に優れ身体に付けるだけで、日本古来の着物姿を美しく、簡単に表現できる洋服様着物セットである。
【図面の簡単な説明】
【００１１】
【図１】  本考案の２部式着物を示す前上身頃
【図２】  本考案の２部式着物を示す後上身頃
【図３】  本考案の２部式着物を示す上身頃の型紙構成図
【図４】  本考案の２部式着物を示す下身頃巻きスカートの図
【図５】  本考案の２部式着物を示す下身頃巻きスカートの型紙構成図
【図６】  図１の状態から更に図５を着用した状態の正面図
【図７】  本発明の２部式上襦袢裏面図の前（ａ）と後（ｂ）
【図８】  本発明の二部式上身頃の変え衿、胸パット胴回り補正の図
【図９】  本発明の二部式ペチコートの下襦袢前（ａ）、後（ｂ）
【図１０】  図９と図８を上に着用した状態の正面図、温感用に袖付がある
【図１１】  帯と帯締めと帯板
【図１２】  お太鼓と帯揚げと枕
【図１３】  枕と帯揚げ
【図１４】  着物着用の図
【発明を実施するための形態】
【００１２】  以下、本発明の実施の形態を図１〜図６に基付いて説明する。
【００１３】  図に於いては、着物は上下に分かれている２部式の洋服様着物である。
【００１４】  上衣１の衿２は、着物風の合わせ衿である。後衣紋７は、抜けている。後裾８はペプラムになっている。前はお端折り９になる。カシュクールのプルオーバー感覚で着る洋服様着物。
【００１５】  右下前合わせ衿２には６の釦付き、左脇に土台布５に付いた釦ホール６ａと，合わせ閉じる。左上前の合わせ衿２には６の釦が付、右脇に土台布５ａが付いた６ａの釦ホールと合わせ閉じる。
【００１６】  両脇身頃胴回りは脇ゴム４を配置して、４２の肩は肩傾斜をつけて、立体化し、  シワを無くし、肌開防止する。
【００１７】  袖１ａの両脇には、２部式帯を装着するための帯揚通しループ３が両脇身頃のみやつ口付近に付く。
【００１８】  ２部式下衣１０は、巻きスカート式で足を通して履く。ウエストゴム１４と、胴絞り紐１２が通っている。
【００１９】  ウエストゴム１４と胴絞り紐１２が、通っており、前裏の孔１３から紐は出て絞り固定する。
【００２０】  長方形の２部式下衣１０は、くるりと３巻折りたたんで左上が前側にした。
【００２１】  容姿は裾つぼまり１５の着物裾である。
【００２２】  巻きスカートなので裾さばきよく、左脇スリット１１になっている。２部式下衣１０を穿いてから上衣１を着る。
【００２３】  以下、本発明の実施の形態を図７から図１０に基付いて説明する。
【００２４】  上下に分かれている２部式の洋服様の上襦袢前裏１６である。
【００２５】  上衣１６、１７は、ストレッチ性のある生地を身頃に使用したＴシャッツ感覚のかぶり長襦袢である。
【００２６】  半衿２３は着物衿で重ねる、後衿は衣紋吊り２２で抜けるような設計である。
【００２７】  更に、取り替え衿２０ａもスナップ２０等で取付け可能になっている。
【００２８】  胸の裏側に補正用の胸パット１９が取り付けの為胸パット用ポケット１８が付く。
【００２９】  胸補正用の胸パットポケット１８は衿付け部分箇所にスラッシュ開き口になってついている。
【００３０】  胸パット差し込み用の口を開けて胸パット１９を差し込む。
【００３１】  袖下に汗取り用の脇パット２１が付く。
【００３２】後ろ  背中に、衣紋吊り２２を衿２３とウエストの切り替え２４に挟み込む。
【００３３】  上衣襦袢前１６は右と左に交差している。右下前衿とおくみは左脇に挟み縫い。
【００３４】  左上前も衿２３とおくみの一部をウエストで切り替え２４に挟み縫い込む。
【００３５】  肌開防止に、ウエスト切り替え２４に後から前脇迄肌開防止用に２４ａのゴムが入る。
【００３６】  裾は、裾引き紐２５が通るようになっており、両脇から２５は出る。
【００３７】  ウエスト補正用として、裾を折り返し２６で、出来た空洞にウエスト補正用パット２６ａをマジックテープ２６ｂなどで止める。補正用のパットが落ち着くように両脇のド裾引きの紐２５を左右に引き締めロックする。
【００３８】  温感用に上襦袢袖付１６がある。
【００３９】  上下に分かれている２部式下襦袢２７は、穿くだけである。
【００４０】  四角い形の布を筒状に縫い、ウエスト部分３０ａを折って空洞化する。
【００４１】  ウエスト３０ａにウエストゴム３０と胴絞り紐２８が通っている。前ウエストの所裏側からホール孔２９が開いていて、その孔から出して絞り固定する。
【００４２】  下襦袢２７は、ペチコート型なので裾さばき良く着物風に右脇奥はベンツ開き３１になっている。
【００４３】以下、発明の実施の形態を図１１から図１４に基付いて説明する。
【００４４】  帯３４とお太鼓３８部分が、分離している２部式の造り帯である。
【００４５】  お太鼓３８は、帯揚げ３７と枕３６が合体している。
【００４６】  枕と帯揚げ４０の生地を筒状に縫い、中に円柱状に巻いた中綿等の芯を入れ、枕３６を作る。
【００４７】  帯山の内側に枕を両脇縫い止め３６ａ固定し、その両端止め３６ａに帯揚げ３７用の生地を縫い止める。
【００４８】  長方形のお太鼓用３８の布を、タレ３９部分を残して内折りに３折りし、タレ部分の内側とお太鼓の山の内側３８ａを縫い止める。
【００４９】  帯部分３４と帯締め３３が合体し、帯用長方形の布と帯締めになる生地を接ぐ部分の３３ａ裏接ぎ目利用しスラッシュ明き口から、帯板３４を差し込む。
【００５０】  着用の方法は、作りお太鼓３８についている帯揚げ３７を着物の両脇帯揚げ通しループ３を、通って身体の前４１で結ぶ。次に、帯部分３４を、前に当て、ぐるりと後ろのお太鼓３８の空洞部分に通し後ろで交差して枕３６の下あたりを通って帯締め３３部分を前で結び締める。
【符号の説明】
【００５１】１      上衣
１ａ    袖
２      衿
３      帯揚通しループ
４      脇ゴム
５      左ストレッチ布
５ａ    右ストレッチ布
６      釦ホール
６ａ    釦
７      後衣紋
８      ペプラム
９      お端折り
１０    下衣
１１    左脇スリット
１２    スピンドル
１３    通し孔
１４    ウエストゴム
１５    裾つぼまり
１６    上襦袢前裏
１６ａ  上襦袢袖付
１７    上襦袢後裏
１８    補正用胸パットポケット
１９    胸パット
２０    衿スナップ
２０ａ  変え衿用スナップ
２１    パット
２２    衣紋吊り背布
２３    衿
２４    ウエスト切り替え
２４ａ  ゴム
２５    裾引き紐
２６    折り返し
２６ａ  胴パット
２６ｂ  マジックテープなど
２７    下襦袢
２８    胴絞り紐
２９    通し孔
３０    ウエストゴム
３０ａ  ウエスト部分
３１    ベンツ開き
３２    一体化した帯と帯締め
３３    帯締め
３３ａ  裏接ぎ目利用スラッシュ明き口
３４    帯
３４ａ  帯板
３５    お太鼓と枕と帯揚げ
３６    枕
３６ａ  止め
３７    帯揚げ
３８    お太鼓
３８ａ  縫い止め
３９    たれ
４０    枕と帯揚げ
４１    帯装着時の前
４２    肩
【図１】
2018123463.tif 000003
【図２】
2018123463.tif 000004
【図３】
2018123463.tif 000005
【図４】
2018123463.tif 000006
【図５】
2018123463.tif 000007
【図６】
2018123463.tif 000008
【図７】
2018123463.tif 000009
【図８】
2018123463.tif 000010
【図９】
2018123463.tif 000011
【図１０】
2018123463.tif 000012
【図１１】
2018123463.tif 000013
【図１２】
2018123463.tif 000014
【図１３】
2018123463.tif 000015
【図１４】
2018123463.tif 000016